(57)【特許請求の範囲】
【請求項１】
間仕切パネルの正面視略矩形状の主フレーム上に延長パネルにおける追加フレームを継ぎ足し連結する間仕切パネルの連結構造において、
前記主フレームの左右両側部における上下方向に延びる縦枠体を、中空四角形状で且つ上端開放の芯材と、該芯材の少なくとも左右両側に被嵌した中空略矩形状の外側枠材とにより構成し、前記外側枠材には間仕切パネルの厚さ方向の中央部に縦長の凹溝を形成し、
前記凹溝の外側に配置する抱持ブロック体は、前記複数の間仕切パネル同士を平面視直線状に連結することができるものであって、隣接する主フレームにおける外側枠材の凹溝を互いに対面させた空間に嵌まり、且つ凹溝内に穿設された挿入孔から芯材を厚さ方向にずれ不能に抱持する平面視略Ｈ字状に形成され、且つ該抱持ブロック体の基部には、連結ボルトに螺合する雌ねじ部を備え、
前記追加フレームの左右両側部位から下方向に突出する継ぎ足片を、前記芯材の上端部の内径側に挿入する一方、
前記主フレームの芯材の内側から貫通する前記連結ボルトにて前記継ぎ足片と、前記抱持ブロック体とを外れ不能に係止したことを特徴とする間仕切パネルの連結構造。
【発明の詳細な説明】
【０００１】
【発明の属する技術分野】
本発明は、正面視矩形に形成したフレームの表裏両側にパネル板を着脱自在に装着するタイプの間仕切パネルに延長用パネルを積み上げて連結する連結構造に関するものである。
【０００２】
【従来の技術】
間仕切パネルの上端に延長用パネルを積み上げ連結する構成として、例えば、特開平８−１６５７２６号公報では、次のような構成のものが開示されている。
即ち、間仕切パネルにおける縦枠体を、四角パイプ状の主縦枠とその外周に固定する副縦枠とにより構成し、副縦枠は前記主縦枠の側端面に接合し、側方へ開放した断面コ字状の溝部と該溝部から延長し、主縦枠の表裏両面を覆う断面略四角形状の拡幅部とにより構成する。そして、断面下向きコ字状の基部の両側から延設した一対の挿入片と、前記基部に回動自在に設けた偏心カム付きのハンドルとからなり、前記挿入片の先端部に下向き鉤状のフックが形成されている連結具は、複数の間仕切パネルを平面視直線状に連結する場合に、対面させる主縦枠体に穿設された一対の挿入孔に、前記一方の縦枠体側から前記連結具の一対の挿入片を挿入して他方の縦枠体の挿入孔に前記各フックを係止し、ハンドルを下向きに回動させると、偏心カムで前記一方の縦枠体の側面を押圧して前記フックにより他方の縦枠体を引き寄せて連結するものである。
【０００３】
そして、延長用パネルにおける追加フレームの左右両側の縦枠から断面コ字状の連結杆を下向きに突出させ、この連結杆を、前記一方の間仕切パネルにおける縦枠体の主縦枠の内径部に差し込み、前記一方の間仕切パネルと他方の間仕切パネルとを連結するのと同時に前記連結杆を上方に抜け不能に装着するものである。
【０００４】
【発明が解決しようとする課題】
しかしながら、前記先行技術では、前記連結具の構成から、二つの隣接する間仕切パネルを平面視で一直線状に連結する箇所にのみ、その一方の間仕切パネルに、延長用パネルを積み上げ連結することができるだけであり、１つだけの間仕切パネルの上に延長パネルを継ぎ足すときや、隣接する間仕切パネルの無い側の主縦枠の箇所では、別種の連結具を準備しなければならないという問題があった。
【０００５】
本発明は、この問題を解消した間仕切パネルの連結構造を提供することを目的とするものである。
【０００６】
【課題を解決するための手段】
前記目的を達成するため、請求項１に記載の本発明の間仕切パネルの連結構造は、間仕切パネルの正面視略矩形状の主フレーム上に延長パネルにおける追加フレームを継ぎ足し連結する間仕切パネルの連結構造であって、前記主フレームの左右両側部における上下方向に延びる縦枠体を、中空四角形状で且つ上端開放の芯材と、該芯材の少なくとも左右両側に被嵌した中空略矩形状の外側枠材とにより構成し、前記外側枠材には間仕切パネルの厚さ方向の中央部に縦長の凹溝を形成し、前記凹溝の外側に配置する抱持ブロック体は、前記複数の間仕切パネル同士を平面視直線状に連結することができるものであって、隣接する主フレームにおける外側枠材の凹溝を互いに対面させた空間に嵌まり、且つ凹溝内に穿設された挿入孔から芯材を厚さ方向にずれ不能に抱持する平面視略Ｈ字状に形成され、且つ該抱持ブロック体の基部には、連結ボルトに螺合する雌ねじ部を備え、前記追加フレームの左右両側部位から下方向に突出する継ぎ足片を、前記芯材の上端部の内径側に挿入する一方、前記主フレームの芯材の内側から貫通する前記連結ボルトにて前記継ぎ足片と、前記抱持ブロック体とを外れ不能に係止したものである。
【０００８】
【発明の奏する効果】
請求項１のように構成すると、１本の連結ボルトと１つの抱持ブロック体とで、追加フレームにおける片方の縦枠体５の箇所に継ぎ足片を抜け不能に連結でき、構造が極めて簡単となり、連結及び解除の作業も迅速にできると言う効果を奏する。
【０００９】
そして、請求項１に記載の発明によれば、縦枠体の外側枠体に穿設された挿入孔を介して抱持ブロック体を芯材に抱持させるので、挿入孔に抱持ブロック体を挿入しているかぎり、抱持ブロック体が脱落せず、また、抱持ブロック体にて連結すべき芯材が主フレームひいては間仕切パネルの厚さ方向にずれず、１本の連結ボルトで片方の縦枠体と必ず連結でき、隣接する２つの間仕切パネルを連結するときには、もう１本の連結ボルトを用意すれば良いのであり、１つの抱持ブロック体は、間仕切パネルの横方向の連結と延長パネルの継ぎ足し連結とに併用できるから、準備すべき部品点数も少なく済み、製造コストの低減と連結作業の簡素化とを同時に達成することができるという効果を奏する。
【００１０】
【発明の実施の形態】
次に、本発明を間仕切に適用した実施形態を図面に基づいて説明する。
図１は間仕切パネル１に延長パネル３０を連結した状態の正面図、図２は間仕切パネル１及び延長パネル３０の部品分解斜視図、図３は連結装置としての抱持ブロック体等の部品の斜視図、図５は主フレーム２同士の連結箇所の断面図、図７は延長パネル３０を連結箇所の分解斜視図、図８は主フレーム２に対する追加フレーム３１の連結箇所の一部切欠き側断面図である。
【００１１】
間仕切パネル１は、鋼板の型材等からなる側面視矩形枠状の主フレーム２の左右両側（表裏両面）にパネル３、３を着脱自在に装着でき、延長パネル３０を装着しない場合の主フレーム２の上端には笠木（天カバー）２４を備え、パネル板３の下端と床面との間は巾木４にて塞いでいる。主フレーム２は、一対の縦枠体５，５とその上下両端に固着した上下一対の横枠体６，６とで矩形に形成されている。なお、上下横枠体６，６の間に補強用の横桟を設けても良いし、逆に、一対の縦枠体５，５の間に補強用の縦桟を設けても良い。
【００１２】
実施形態においては、隣合った主フレーム２の縦枠体５，５同士を互いに密接させた状態で平面視一直線状に連結するものであり、そのため、縦枠体５は、断面中空角状の芯材７と、該芯材７の左右両側と主フレーム２の外側における間仕切パネル１の厚さ方向の側面とに被嵌してスポット溶接等にて固着した中空略矩形状の外側枠材８とにより構成されている。
【００１３】
主フレーム２の外側において、当該間仕切パネル１（ひいては主フレーム２）の端面（厚さ方向の面）の略中央部には、前記外側枠材８に上下に連通する縦溝状の凹溝９が凹み形成されている。そして、この縦溝状の凹溝９は、一対の側部９ａ，９ａと底部９ｂとからなるように形成されている。隣合った主フレーム２，２の縦枠体５，５同士を互いに密接させ、平面視で一直線状に連結するときには、前記２つの凹溝９にて平面視略矩形状の空間が形成されることになり、この空間内に、後述する抱持ブロック体１０が配置され、２本の連結ボルト１８，１８と抱持ブロック体１０とにより連結し得る。
【００１４】
なお、前記外側枠材８の両方の端面を含む角部には、それぞれ縦枠体５の上下長手方向に沿って一定間隔にてほぼ矩形状の縦長係合孔２０を穿設し、この各縦長係合孔２０には、棚板を支持するための棚用ブラケット２１の基部に設けた図示しない係合爪を係止させるものである。
また、主フレーム２を平面視直線状に密接させるべき箇所の外側枠材８には、上下複数の箇所に、抱持ブロック体１０が芯材７に向けて挿入可能な略矩形状の挿入孔１１を形成する。この実施形態における挿入孔１１は、前記凹溝９における底部９ｂにのみ矩形状に穿設されている（図３参照）。
【００１５】
図３〜図６に示すように、この実施形態では、抱持ブロック体１０は、連結する箇所の両芯材７，７の間に配置させる基部１０ａと、該基部１０ａの左右両端からそれぞれ突出する４つの抱持突起部１０ｂとからなる平面視略Ｈ型に形成されており、この基部１０ａと一対の抱持突起部１０ｂ，１０ｂとで両芯材７を主フレーム２の厚さ方向にずれ不能に抱持することができるように構成されている。
【００１６】
即ち、図３等に示すごとく、抱持ブロック体１０における左右一対の抱持突起部１０ｂ，１０ｂの内側間の寸法Ｗ１は、前記芯材７における主フレーム２の厚さ方向の外側面間の寸法Ｗ１′にほぼ等しくなるように設定され、同じく左右一対の抱持突起部１０ｂ，１０ｂの外側間の寸法Ｗ２は、前記挿入孔１１の左右巾寸法Ｗ２′より小さい寸法であって、挿入孔１１に出し入れするとき、抱持ブロック体１０の左右外面が挿入孔１１の左右側縁につかえないような隙間が形成できる程度である。また、抱持ブロック体１０の縦方向寸法Ｈ１は、前記挿入孔１１の縦方向寸法Ｈ１′とほぼ同じできっちりと入る程度である。
【００１７】
さらに、抱持ブロック体１０の基部１０ａには、前記抱持突起部１０ｂが突出する方向と平行状に、位置規制ボス部１２，１２が一体的に突設され、この各位置規制ボス部１２が芯材７に穿設された位置決め孔１３にきっちりと嵌合するように形成されている。そして、前記基部１０ａには、前記両位置規制ボス部１２，１２を貫通するように雌ねじ部１４が穿設されている。
【００１８】
連結する箇所にて抱持ブロック体１０と対峙させて芯材７を挟む補強座体としての平面視コ字型の座金体１５と、前記芯材７とには、頭部に六角孔付きの連結ボルト１８の軸部を挿通させるための挿通孔１６，１７がそれぞれ穿設されている。なお、縦枠体５の内側には、前記芯材７の側面と外側枠材８との連設部に前記座金体１５の左右両側片１５ｂ，１５ｂが嵌まる係止孔１９，１９が穿設されている。
【００１９】
なお、図１に示すように、横枠体６の厚さ方向寸法より、外側枠体８の厚さ方向寸法が大きいことにより、主フレーム２の両面に装着したパネル３，３の内面と横枠体６との間に上下方向に配線用コードの挿通のための隙間が形成でき、また、外側枠体８の上下方向中途部を適当な寸法だけ切欠いた切欠き部２３を介して隣接する主フレーム２に配線用コード引き出すことができる。
【００２０】
次に、間仕切パネル１，１を直線状に連結する作業について説明すると、図１に示すように、隣接する２つの主フレーム２，２のうち連結すべき箇所の縦枠体５，５の挿入孔１１，１１に前記抱持ブロック体１０を挿入して、両芯材７，７の側面を抱持ブロック体１０における左右一対の抱持突起部１０ｂ，１０ｂにて主フレーム２の厚さ方向にずれないように抱持させる。次いで、主フレーム２の内径側より、それぞれ芯材７，７を抱えるように座金体１５，１５を嵌め入れ、この各座金体１５側から連結ボルト１８の軸部を芯材７を貫通させて抱持ブロック体１０の雌ねじ部１４に締着するのである。これにより、各連結ボルト１８は抱持ブロック体１０と芯材７と座金体１５との三者を締着するのであり、しかも、１つの抱持ブロック体１０とその両側の２つの芯材７，７とを両側の連結ボルト１８，１８にて締着するので、連結強度も強固になる。そして、抱持ブロック体１０における左右一対の抱持突起部１０ｂ，１０ｂにて芯材７を主フレーム２の厚さ方向にずれ動くのを阻止できるから、隣接する間仕切パネル１，１を一直線状に配置することが簡単になる。さらに、抱持ブロック体１０の基部１０ａから突出する位置規制ボス部１２が芯材７の位置決め孔１３に嵌合することにより、両芯材７，７の一層位置ずれをなくすることができる。
【００２１】
なお、抱持ブロック体１０には前記位置規制ボス部１２を省略することができ、また、前記座金体１５を省略して、連結ボルト１８の頭部を芯材７の内面に直接当接するように芯材７に貫通挿入して抱持ブロック体１０と螺着させても良い。
次に、図１、図２、図７及び図８を参照しながら、間仕切パネル１の上端に延長パネル３０を継ぎ足す実施形態について説明する。
【００２２】
延長パネル３０における追加フレーム３１は、図２に示すように、前記主フレーム２とほぼ同様に左右一対の縦枠体３２，３２と、該左右両側の縦枠体３２，３２の上端間をつなぐ四角パイプ状の横枠体３３とからなり、この左右両側の縦枠体３２，３２における外側枠材３５の内側に位置する中空四角形状の各芯材３４の下端に断面コ字状の継ぎ足片３６をビス３７等にて固定し、各継ぎ足片３６の先端（下端）部位を芯材３４の下端から下向きに突出させると共にやや先細く形成して、主フレーム２における開放された芯材７の内径部にてガタつかないようにきっちりと、且つ円滑に嵌合できるように構成する。
【００２３】
また、前記主フレーム２，２を平面視一直線状に連結する場合の縦枠体５，５の最上部位での前記抱持ブロック体１０の配置箇所まで前記各継ぎ足片３６，３６が延びているものとする。この高さ箇所で、追加フレーム３１を継ぎ足すべき主フレーム２の縦枠体５における前記凹溝９側に抱持ブロック体１０を配置し、芯材７の内側の挿入孔１７より連結ボルト１８を挿入し、継ぎ足片３６に穿設した孔３８を貫通して抱持ブロック体１０の雌ねじ部１４に螺合させるのである。なお、延長パネル３０においても追加フレーム３１の表裏面にパネル板３９，３９を着脱自在に装着できることはいうまでもない。
このような抱持ブロック体１０を利用すると、単独の間仕切パネル１の上端に延長パネル３０を積み上げるように連結する場合も、図２及び図８に示すように、隣接する２つの間仕切パネル１，１同士を平面視一直線状に連結するときに、その一方もしくは両方の間仕切パネル１の上端にそれぞれ延長パネル３０を継ぎ足し連結する場合も、各継ぎ足片３６毎に一つの抱持ブロック体１０を使用すれば良い。換言すると、同じ種類の抱持ブロック体１０を利用して、間仕切パネル同士を連結することと、延長パネル３０を継ぎ足し連結することとに併用できるという効果を奏する。
【００２４】
図１、図９〜図１１は、上述のように高さの異なる間仕切パネル（同じ高さの複数の間仕切パネル１の一方にのみ延長パネル３０を継ぎ足した場合について図示しているが、最初から高さの異なる主フレーム２の場合であっても良い）を連結したときの、フレームの縦方向の端面を覆うための縦カバー体４０の取り付け構造を示す。
【００２５】
合成樹脂製の縦カバー体４０は、縦長の偏平筒状の長カバー４１と、該長カバー４１の上下端に嵌合させて固定した上下端カバー４２，４３とからなり、長カバー４１の断面形状は、前記笠木２４の断面とほぼ同じである。長カバー４１の裏面のうち上部側には、縦枠体３２（縦枠体５でも可能）の外側枠材３５（８）の凹溝９の底部等に穿設された取り付け孔（図示せず）に落とし込み係止できる下向き鉤状のフック金具４４が固定されている。そして、下端カバー４３には前記長カバー４１の中空内に係合する突起部４３ａと、低い位置の笠木２４の端面に係合する下向きフック部４３ｂ等を一体的に備えている。また、下端カバー４３の下面形状は、笠木２４の上面にきっちりと嵌合するように、実施形態では下向き凹湾曲している。
【００２６】
この構成により、高い位置の間仕切パネルもしくは延長パネル３０の縦枠体３２の縦端面に縦カバー体４０を沿わせて上部のフック金具４４を落とし込み係止させると、その下端カバー４３の部分は、低い間仕切パネル１の上端に取り付けられた笠木２４の端部に対して接近する。そして、縦カバー体４０の下端カバー４３の下向きフック部４３ｂが笠木２４の端面に当接し、且つ湾曲した下面が前記笠木２４の上面に載るのである。但し、笠木２４は、図１２に示すように、足部２４ａの突起２４ｂがフレーム２における縦枠体５の切欠き部もしくはパネル３の内面等に対して係合して容易には抜けない構成である。なお、笠木２４における足部２４ａの端部を傘部２４ｃの端部より縦枠体５の幅寸法Ｈ４だけ切欠いて段部２４ｄを設けることにより（図９参照）、笠木２４は横枠体６の長手方向にずれ移動しないように構成している。
【００２７】
この状態では、縦カバー体４０を上方に持ち上げないかぎり、下端カバー４３における下向きフック部４３ｂは、長手方向にずれない笠木２４の箇所から外れないのであり、従来のように、低い側の間仕切パネルのフレーム２の上端角部に外れ防止用の別の金具を固定する必要がない。
上述のように、縦枠体５の外側枠体８に穿設された挿入孔１１を介して抱持ブロック体１０を芯材７に抱持させるので、挿入孔１１に抱持ブロック体１０を挿入しているかぎり、抱持ブロック体１０が脱落せず、また、抱持ブロック体１０にて連結すべき芯材７が主フレーム２ひいては間仕切パネル１の厚さ方向にずれず、１本の連結ボルト１８で片方の縦枠体５と必ず連結でき、隣接する２つの間仕切パネル１，１を連結するときにはもう１本の連結ボルト１８を用意すれば良いのであり、１つの抱持ブロック体１０は、間仕切パネルの横方向の連結と延長パネル３０の継ぎ足し連結とに併用できるから、準備すべき部品点数も少なく済み、製造コストの低減と連結作業の簡素化とを同時に達成することができるという効果を奏する。
【図面の簡単な説明】
【図１】間仕切パネルに延長パネルを継ぎ足した状態の正面図である。
【図２】間仕切パネル及び延長パネルの部品斜視図である。
【図３】連結装置の部品の斜視図である。
【図４】２つの縦枠体の接合部の断面図である。
【図５】連結装置の平断面図である。
【図６】図５のVI−VI線矢視断面図である。
【図７】２つの縦枠体の横連結と追加フレームの継ぎ足し連結との箇所を示す斜視図である。
【図８】追加フレームの継ぎ足し連結部の一部切欠き断面図である。
【図９】縦カバー体の取り付け部の一部切欠き正面図である。
【図１０】縦カバー体の部品を示す斜視図である。
【図１１】（ａ）は縦カバー体の下端カバーと低い位置の笠木との係合状態を示す側面図、（ｂ）は図１１（ａ）のXIb −XI線矢視断面図である。
【図１２】笠木の拡大断面図である。
【符号の説明】
１  間仕切パネル
２  主フレーム
３  パネル
５，３２      縦枠体
６  横枠体
７，３４      芯材
８，３５    外側枠材
９  凹溝
１０  抱持ブロック体
１０ａ    基部
１０ｂ，１０ｂ    抱持突起部
１１    挿入孔
１６，１７    挿通孔
１８    連結ボルト
２４    笠木
３０    延長パネル
３１    追加フレーム
３２    縦枠体
３６    継ぎ足片
３７    ビス
【図１】
0003909972.tif 000002
【図２】
0003909972.tif 000003
【図３】
0003909972.tif 000004
【図４】
0003909972.tif 000005
【図５】
0003909972.tif 000006
【図６】
0003909972.tif 000007
【図７】
0003909972.tif 000008
【図８】
0003909972.tif 000009
【図９】
0003909972.tif 000010
【図１０】
0003909972.tif 000011
【図１１】
0003909972.tif 000012
【図１２】
0003909972.tif 000013